(57)【要約】  【課題】  経験の浅い作業者であっても、容易且つ正確に上部台座の上面とアンカー孔の軸線がなす角度を補正できる方法および角度補正台座を提供する  【解決手段】  本発明に係る角度補正台座１０は、上部台座１２と、下部台座１４から構成され、アンカーテンドン１６のアンカー頭部４０に設けられた支圧板４６と、地盤２２の表面に設けられた受圧板２０上に配置される補剛板２６との間に設置し、上部台座１２と下部台座１４とを相対的に回動させ、上部台座１２の上面１２ａと、アンカー孔２４の軸線Ｐがなす角が垂直になるように補正後、ＰＣ鋼より線４８を緊張し定着させる。【選択図】  図１
2005226417.tif 000002
【特許請求の範囲】
【請求項１】
アンカー工法において、下面および当該下面に対し所定の傾斜角をもって形成された上面を有する上部台座および下部台座からなる角度補正台座を用いて、前記上部台座の上面とアンカー孔の軸線とのなす角度が垂直になるように調整する、角度補正台座の調整方法であって、
前記下部台座を前記下部台座下面の垂直線を軸にして地盤表面に対し回動させ、地盤表面に対する前記下部台座上面の位置決めを、前記地盤表面側または前記下部台座側の一方に設けられた目盛および他方に設けられた目印にしたがって行う下部台座位置決めステップと、
前記下部台座上に設置された上部台座を前記上部台座下面の垂直線を軸にして下部台座に対し回動させ、下部台座上面に対する前記上部台座上面の位置決めを、前記下部台座側または前記上部台座側の一方に設けられた目盛および他方に設けられた目印に従って行う上部台座位置決めステップと、を備え、
前記下部台座位置決めステップおよび前記上部台座位置決めステップは、前記地盤表面に対する前記上部台座上面の補正角度に基づいて、前記地盤表面に対する前記下部台座の位置および前記下部台座に対する前記上部台座の相対位置を前記目盛の値によって示す角度補正対応表に基づいて行われることを特徴とする角度補正台座の調整方法。
【請求項２】
前記補正角度は、水平方向補正角度および鉛直方向補正角度の合成角であり、前記角度補正対応表は、入力パラメータとして水平方向補正角度および鉛直方向補正角度を有し、出力パラメータとして、前記下部台座位置決めステップで用いられる下部台座用目盛値および前記上部台座位置決めステップで用いられる上部台座用目盛値を有することを特徴とする請求項１記載の角度補正台座の調整方法。
【請求項３】
下面および当該下面に対し所定の傾斜角をもって形成された上面を有する上部台座および下部台座からなり、アンカー工法において前記上部台座の上面とアンカー孔の軸線とのなす角度が垂直になるように調整する際に用いられる角度補正台座であって、
前記上部台座または下部台座の一方は、その側面に所定の間隔で刻まれた目盛を有し、他方はその側面に目印を有し、
前記角度補正台座は、地盤表面に対する前記上部台座上面の補正角度から、前記地盤表面に対する前記下部台座の位置および前記下部台座に対する前記上部台座の相対位置を前記目盛の値によって示す角度補正対応表と共に使用されることで、所定の角度補正を行うことを特徴とする角度補正台座。
【請求項４】
前記目盛は着脱可能に構成されていることを特徴とする請求項３記載の角度補正台座。
【請求項５】
アンカー工法において、下面および当該下面に対し所定の傾斜角をもって形成された上面を有する上部台座および下部台座からなる角度補正台座により、前記上部台座の上面とアンカー孔の軸線とのなす角度が垂直になるように調整するための角度補正対応表であって、
地盤表面に対する前記上部台座上面の水平方向補正角度および鉛直方向補正角度を入力パラメータ、
前記地盤表面に対する前記下部台座の位置であって、前記地盤表面側または前記下部台座側に設けられた目盛で示す下部台座用目盛値、および前記下部台座に対する前記上部台座の相対位置であって、前記下部台座側または前記上部台座側に設けられた目盛で示す上部台座用目盛値を出力パラメータ、として有し、前記入力パラメータと前記出力パラメータの対応関係を示す表であることを特徴とする角度補正対応表。
【請求項６】
アンカー工法において、下面および当該下面に対し所定の傾斜角をもって形成された上面を有する上部台座および下部台座からなる角度補正台座により、前記上部台座の上面とアンカー孔の軸線とのなす角度が垂直になるように調整するための角度補正台座の調整用プログラムであって、
地盤表面に対する前記上部台座上面の水平方向補正角度および鉛直方向補正角度と、前記地盤表面に対する前記下部台座の位置であって、前記地盤表面側または前記下部台座側に設けられた目盛で示す下部台座用目盛値、および前記下部台座に対する前記上部台座の相対位置であって、前記下部台座側または前記上部台座側に設けられた目盛で示す上部台座用目盛値、との対応関係を示す角度補正対応データを有しており、
前記水平方向補正角度および鉛直方向補正角度が入力されると、前記角度補正対応データを参照して、前記下部台座用目盛値および前記上部台座用目盛値を出力するステップ、をコンピュータに実行させることを特徴とする角度補正台座の調整用プログラム。
【発明の詳細な説明】
【技術分野】
【０００１】
この発明は、アンカー工法に用いられる角度補正台座に関する。
【背景技術】
【０００２】
建設・土木現場においては、斜面安定、地すべり抑止および擁壁、その他構造物を安定させるために、いわゆるアンカー工法が広く用いられるようになっている。アンカー工法とは、地盤を、ケーシングを使用しながら所定角度で定着地盤まで削孔してアンカー孔を形成し、あらかじめ組み立てておいたアンカーテンドンを挿入する。アンカーテンドン内に設けられた内部注入パイプを使用してセメント等の内部グラウトを注入し、次に、同じくアンカーテンドン内に設けられた外部注入パイプを使用して外部グラウトを注入する。そして、グラウトを加圧注入しながらケーシングを引き抜き、地盤中にグラウトによるアンカー体を造成し、アンカーテンドン先端を地盤内に定着させる。その後、引張材としてのＰＣ鋼より線によって、地盤表面の受圧板とアンカー体とを緊張、固定させることで、緊張定着力を地中に分散させ、地盤を安定させる工法である。
【０００３】
ここで、アンカー工法においては、アンカーテンドンをアンカー孔に平行に挿入し緊張固定するため、アンカー孔の軸線と受圧板の上面との角度が直角になるように補正する必要がある。なぜなら、補正せずにアンカーテンドンをアンカー孔に挿入し緊張固定した場合、アンカーテンドンが、支圧板と受圧板の部分で屈曲し、破断する危険性があるからである。
【０００４】
角度補正台座とは、このような角度補正を行うためのものである。図１２に、従来の一般的な角度補正台座の構成を示す。図１２に示すように、角度補正台座１００は、上部台座１０２、下部台座１０４から構成される。角度補正台座１００は、アンカーテンドン１６のアンカー頭部４０に設けられた支圧板４６と、地盤２２表面に設けられた受圧板２０の間に設置される。作業者は、上部台座１０２と下部台座１０４とを相対的に回動させ、上部台座１０２の上面１０２ａと、アンカー孔２４の軸線Ｐがなす角が垂直になるように調整後、ＰＣ鋼より線４８を緊張し定着させる。
【０００５】
このような角度補正台座は、例えば、特許文献１および特許文献２に開示されている。
【０００６】
【特許文献１】特許第２７９９６７８号公報
【特許文献２】特許第３２７０９１４号公報
【発明の開示】
【発明が解決しようとする課題】
【０００７】
しかしながら、従来、角度補正台座の設置にあたっては、土木・建設現場において、作業者が上下の台座を任意に回動させて、角度計を使いながら、所定の角度補正値に調整していた。このような調整方法は、作業者の経験や勘によるところが大きく、人により調整に誤差が生じたり、経験の浅い作業者では調整に時間がかかったり、正確な補正が行えないといった問題があった。
【０００８】
本発明は、このような課題を解決するためになされたものであり、経験の浅い作業者であっても、アンカー工法において容易且つ正確に角度補正の調整が行える角度補正台座の調整方法および角度補正台座を提供することを目的とする。
【課題を解決するための手段】
【０００９】
上記課題を解決するために、本発明に係る角度補正台座の調整方法は、アンカー工法において、下面および当該下面に対し所定の傾斜角をもって形成された上面を有する上部台座および下部台座からなる角度補正台座を用いて、前記上部台座の上面とアンカー孔の軸線とのなす角度が垂直になるように調整する、角度補正台座の調整方法であって、前記下部台座を前記下部台座下面の垂直線を軸にして地盤表面に対し回動させ、地盤表面に対する前記下部台座上面の位置決めを、前記地盤表面側または前記下部台座側の一方に設けられた目盛および他方に設けられた目印にしたがって行う下部台座位置決めステップと、前記下部台座上に設置された上部台座を前記上部台座下面の垂直線を軸にして下部台座に対し回動させ、下部台座上面に対する前記上部台座上面の位置決めを、前記下部台座側または前記上部台座側の一方に設けられた目盛および他方に設けられた目印に従って行う上部台座位置決めステップと、を備え、前記下部台座位置決めステップおよび前記上部台座位置決めステップは、前記地盤表面に対する前記上部台座上面の補正角度に基づいて、前記地盤表面に対する前記下部台座の位置および前記下部台座に対する前記上部台座の相対位置を前記目盛の値によって示す角度補正対応表に基づいて行われることを特徴とする。
【００１０】
また、本発明に係る角度補正台座は、下面および当該下面に対し所定の傾斜角をもって形成された上面を有する上部台座および下部台座からなり、アンカー工法において前記上部台座の上面とアンカー孔の軸線とのなす角度が垂直になるように調整する際に用いられる角度補正台座であって、前記上部台座または下部台座の一方は、その側面に所定の間隔で刻まれた目盛を有し、他方はその側面に目印を有し、前記角度補正台座は、地盤表面に対する前記上部台座上面の補正角度から、前記地盤表面に対する前記下部台座の位置および前記下部台座に対する前記上部台座の相対位置を前記目盛の値によって示す角度補正対応表と共に使用されることで、所定の角度補正を行うことを特徴とする。
【００１１】
また、本発明に係る角度補正対応表は、アンカー工法において、下面および当該下面に対し所定の傾斜角をもって形成された上面を有する上部台座および下部台座からなる角度補正台座により、前記上部台座の上面とアンカー孔の軸線とのなす角度が垂直になるように調整するための角度補正対応表であって、地盤表面に対する前記上部台座上面の水平方向補正角度および鉛直方向補正角度を入力パラメータ、前記地盤表面に対する前記下部台座の位置であって、前記地盤表面側または前記下部台座側に設けられた目盛で示す下部台座用目盛値、および前記下部台座に対する前記上部台座の相対位置であって、前記下部台座側または前記上部台座側に設けられた目盛で示す上部台座用目盛値を出力パラメータ、として有し、前記入力パラメータと前記出力パラメータの対応関係を示す表であることを特徴とする。
【００１２】
また、本発明に係る角度補正台座の調整用プログラムは、アンカー工法において、下面および当該下面に対し所定の傾斜角をもって形成された上面を有する上部台座および下部台座からなる角度補正台座により、前記上部台座の上面とアンカー孔の軸線とのなす角度が垂直になるように調整するための角度補正台座の調整用プログラムであって、地盤表面に対する前記上部台座上面の水平方向補正角度および鉛直方向補正角度と、前記地盤表面に対する前記下部台座の位置であって、前記地盤表面側または前記下部台座側に設けられた目盛で示す下部台座用目盛値、および前記下部台座に対する前記上部台座の相対位置であって、前記下部台座側または前記上部台座側に設けられた目盛で示す上部台座用目盛値、との対応関係を示す角度補正対応データを有しており、前記水平方向補正角度および鉛直方向補正角度が入力されると、前記角度補正対応データを参照して、前記下部台座用目盛値および前記上部台座用目盛値を出力するステップ、をコンピュータに実行させることを特徴とする。
【発明の効果】
【００１３】
本発明に係る角度補正台座の調整方法および角度補正台座によれば、経験の浅い作業者であっても、アンカー工法において容易且つ正確に角度補正の調整を行うことが可能となる。
【発明を実施するための最良の形態】
【００１４】
（第１の実施形態）
以下、添付図面を参照して、本発明の実施の形態につき説明を加える。図１は、本発明の実施の形態にかかる角度補正台座１０の使用状態を示す部分断面図である。
【００１５】
図１に示すように、本実施の形態にかかる角度補正台座１０は、上部台座１２と、下部台座１４から構成される。この角度補正台座１０は、アンカーテンドン１６と組み合わせて使用される。具体的には、角度補正台座１０は、アンカーテンドン１６のアンカー頭部４０に設けられた支圧板４６と、地盤２２の表面に設けられた受圧板２０上に配置される補剛板２６との間に設置される。作業者は、後述する調整方法により、上部台座１２と下部台座１４とを相対的に回動させ、上部台座１２の上面１２ａと、アンカー孔２４の軸線Ｐがなす角が垂直になるように補正後、ＰＣ鋼より線４８を緊張し定着させる。
【００１６】
本実施の形態において使用される補剛板２６は、ＰＣ鋼より線４８を緊張する際の過大な応力から、コンクリート製の受圧板２０の破壊を防ぐために使用される。なお、本実施の形態において、補剛板２６には、ＳＳ４００等の一般構造用炭素鋼、または、Ｓ４５Ｃ等の機械構造用炭素鋼が使用される。
【００１７】
図２は、本発明の実施の形態にかかる角度補正台座１０の上部台座１２を示す図であり、図２（ａ）は、斜視図、図２（ｂ）は、平面図、図２（ｃ）は、図２（ｂ）のＴ１−Ｔ３線における断面図である。図２を参照して上部台座１２を詳細に説明する。
【００１８】
図２に示すように、上部台座１２は、支圧板４６に接する平面からなる上面１２ａと、後述する下部台座１４の摺動面１４ｇと当接する下面１２ｂと、アンカーテンドン１６が挿入される穴１２ｃと、後述する下部台座１４の凸部１４ｄと嵌合する凹部１２ｄと、下面１２ｂに対し垂直な下部周面１２ｅと、上面１２ａに対し垂直な上部周面１２ｆを有する。穴１２ｃは、上面１２ａに垂直な軸を有する円柱形状に成形されている。
【００１９】
上部台座１２の上面１２ａは、下面１２ｂに対して傾斜しており、上面１２ａと下面１２ｂのなす角は、角度αに設定されている。本実施の形態において、角度αは、１０°に設定されている。
【００２０】
また、上部台座１２の下部周面１２ｅには、目盛３２が設けられている。本実施の形態において、目盛３２は、図２（ｂ）に示すように、下部周面１２ｅ上を、Ｔ１（目盛０）−Ｔ２（目盛１０）−Ｔ３（目盛２０）の時計回り方向と、Ｔ１（目盛０）−Ｔ４（目盛１０）−Ｔ３（目盛２０）の反時計回り方向に、９°間隔に０から２０の目盛が設けられている。目盛０と目盛２０は、傾斜している上面１２ａの一番高い位置（目盛０）と、一番低い位置（目盛２０）に設けられている。
【００２１】
また、上部台座１２の下部周面１２ｅには、後述する下部台座１４の凸部１４ｄを凹部１２ｄに嵌合した際に、上部台座１２を固定するための六角穴付止ネジ３４が、１８０°間隔に、２箇所取り付けられている。
【００２２】
図３は、本実施の形態にかかる角度補正台座１０の下部台座１４を示す図であり、図３（ａ）は、斜視図、図３（ｂ）は、下部台座１４の第１目印３６−第２目印３８線における中央縦断面図である。図３を参照して下部台座１４を詳細に説明する。
【００２３】
図３に示すように、下部台座１４は、平面からなる上面１４ａと、補剛板２６の上面２６ｂと当接する下面１４ｂと、アンカーテンドン１６が挿入される穴１４ｃと、上部台座１２の凹部１２ｄと嵌合する凸部１４ｄと、円錐状の周面１４ｅと、補剛板２６の穴２６ａに嵌合する突出部１４ｆと、上部台座１２の下面１２ｂと当接して摺動する摺動面１４ｇとを有する。
【００２４】
下部台座１４の上面１４ａは、下面１４ｂに対して傾斜しており、上面１４ａと下面１４ｂのなす角は、角度βに設定されている。本実施の形態において、角度βは、１０°に設定されている。
【００２５】
下部台座１４の周面１４ｅには、第１目印３６と、第２目印３８が設けられている。本実施の形態において、第１目印３６と、第２目印３８は、１８０°間隔に２箇所設けられている。第１目印３６と、第２目印３８は、図３（ｂ）に示すように、傾斜している上面１４ａの一番高い位置（第１目印３６）と、一番低い位置（第２目印３８）に設けられている。
【００２６】
なお、本実施の形態において、上部台座１２および下部台座１４は、適宜選定された材料を用いて、鍛造、鋳造、または、機械加工等により一体成形される。具体的には、鍛造の場合は、Ｓ２５Ｃ、または、Ｓ３５Ｃ等の機械構造用炭素鋼が使用される。また、鋳造の場合は、ＦＣＤ４５０等のダクタイル鋳鉄が使用される。さらに、機械加工の場合は、ＳＳ４００等の一般構造用炭素鋼、または、Ｓ４５Ｃ等の機械構造用炭素鋼が使用される。
【００２７】
図４は、本実施の形態にかかる目盛板３０を示す平面図である。この目盛板３０は、角度補正の際に補綱板２６上に設置して使用されるものである。
【００２８】
図４に示すように、目盛板３０は、長方形状において、一方の長辺に、補剛板２６の穴２６ａと同じ半径を有する半円状の切欠き３０ａを設けた形状を有している。目盛板３０の上面３０ｂには、上部台座１２に設けられた目盛３２に対応するように、９°間隔で０から２０までの目盛３０ｃが刻まれている。目盛板３０は、磁性材料にて成形されており、鋼製の補剛板２６の上面２６ｂに磁力によって、補剛板２６の上面２６ｂの半分を覆うように貼り付けられる。目盛板３０は、補剛板２６の上面２６ｂの表面を、時計回り、または、反時計回りに、「９０°」、「１８０°」、「２７０°」と、回転することにより、補剛板２６の全ての上面２６ｂに目盛を付した状態とすることができ、かつ、作業中の、どの工程においても、取り付け、取り外しが簡単にできる。
【００２９】
図５は、本実施の形態にかかる角度補正台座１０を用いて角度補正を行う際に使用される角度補正対応表５００である。図５を参照して角度補正対応表５００の構成を詳細に説明する。本実施の形態において、作業者は、作業現場にて、図５に示す角度補正対応表５００を利用して、上部台座１２と下部台座１４とをそれぞれ回動することにより、上部台座１２の上面１２ａと、アンカー孔２４の軸線Ｐがなす角が垂直になるように角度補正を行う。
【００３０】
図５に示すように、角度補正対応表５００は、入力パラメータとしての、水平方向の補正角度である「水平方向補正角度」および鉛直方向の補正角度である「鉛直方向補正角度」、出力パラメータとしての、上部台座を反時計回り（左回り）に回転させる目盛数である「上部台座用目盛値」および下部台座を時計回り（右回り）に回転させる目盛数である「下部台座用目盛値」の４つのパラメータから構成されている。入力パラメータである水平方向補正角度および鉛直方向補正角度は、あらかじめ設計値として決められており、設計図面等に記載されている。角度補正前の上面１２ａと軸線Ｐのなす補正角度とは、この水平方向補正角度と鉛直方向補正角度の合成角である。
【００３１】
図６は、角度補正前の角度補正台座１０の状態を示す部分断面図であり、図６（ａ）は、水平方向角度を示す図（図６（ｂ）のＡ矢視図）、図６（ｂ）は、鉛直方向角度を示す図（図６（ａ）のＢ矢視図）である。図６を参照して、水平方向の補正角度である「水平方向補正角度」および鉛直方向の補正角度である「鉛直方向補正角度」を詳細に説明する。ここで、図６（ａ）に示すＸ１−Ｘ２線は、斜面と平行且つ水平面に平行な直線であり、本実施の形態の水平方向に該当する。また、図６（ｂ）に示すＹ１−Ｙ２線は、斜面に平行であって、Ｘ1−Ｘ２線に垂直な直線であり、本実施の形態の鉛直方向に該当する。
【００３２】
水平方向補正角度は、水平方向において、地盤表面に対して上部台座１２の上面１２ａを傾ける角度であり、図６（ａ）に示す、アンカー孔２４の軸線Ｐと、角度補正前のアンカーテンドン１６の軸線Ｑがなす角θ1が該当する。本実施の形態において水平方向補正角度θ1の角度補正が行われると、水平方向において軸線Ｐと軸線Ｑは平行となる。
【００３３】
鉛直方向補正角度は、鉛直方向において、地盤表面に対して上部台座１２の上面１２ａを傾ける角度であり、図６（ｂ）に示す、アンカー孔２４の軸線Ｐと、角度補正前のアンカーテンドン１６の軸線Ｑがなす角θ2が該当する。本実施の形態において鉛直方向補正角度θ2の角度補正が行われると、鉛直方向において軸線Ｐと軸線Ｑは平行となる。
【００３４】
水平方向補正角度は、角度補正対応表５００の横軸に、「０°」〜「２０°」まで１°間隔で配列されている（符号５０１，５１０参照）。上部台座用目盛値は、縦軸に、「０」〜「２０」まで１目盛間隔で配列されている（符号５０２，５１３参照）。また、鉛直方向補正角度は、角度補正対応表５００中のセル５２０の上段に、「０°」〜「２０°」の範囲で配置され（符号５０３，５１１参照）、下部台座用目盛値は、セル５２０の下段に「０」〜「１４」の範囲で配置されている（符号５０４，５１２参照）。
【００３５】
続いて、この角度補正対応表５００を用いて、入力パラメータとしての水平方向補正角度および鉛直方向補正角度から、出力パラメータとしての上部台座用目盛値および下部台座用目盛値を得る処理について、水平方向補正角度「１１°」、鉛直方向補正角度「１４°」の場合を例にして説明する。まず、作業者は、設計図面により指示されている水平方向補正角度「１１°」（符号５１０参照）を角度補正対応表５００に当てはめる。次に、表中の水平方向補正角度「１１°」の列の中で、セル下段の鉛直方向補正角度が「１４°」になっているセル（符号５１１を含むセル）を選択する。この結果、当該セル下段の下部台座用目盛値「８」（符号５１２）が得られる。また、当該セルが属する行の縦軸の値が、上部台座用目盛値「７」（符号５１３）として得られる。作業者は、この補正目盛値に従って、角度補正台座１０を動かすことにより、上部台座１２の上面１２ａと、アンカー孔２４の軸線Ｐがなす角が垂直になるように角度補正を行うことができる。
【００３６】
次に、このように構成された角度補正台座１０を用いた補正方法を詳細に説明する。図７は、本実施の形態にかかる角度補正台座を用いた調整方法の手順を示すフローチャートである。
【００３７】
作業者は、受圧板の破壊等を防ぐための補剛板２６を受圧板２０の表面に設置する（ステップ７０１）。
【００３８】
次に、作業者は、下部台座１４を補剛板２６上に配置する（ステップ７０２）。本実施の形態において、作業者は、下部台座１４の下面１４ｂに設けられた突出部１４ｆを、補剛板２６の穴２６ａに挿入する。次に、作業者は、上部台座１２を下部台座１４上に設置する（ステップ７０３）。本実施の形態において、作業者は、上部台座１２の下面１２ｂ内に設けられた凹部１２ｄを、下部台座１４の凸部１４ｄに挿入する。このように、本実施の形態に係る角度補正台座１０は、補剛板２６、下部台座１４および上部台座１２を、それぞれの凹凸部を利用して嵌め合わせるように構成されているので、作業者は、傾斜面等において、角度補正台座１０のズレや落下等の心配をせずに作業を進めることができる。
【００３９】
次に、作業者は、目盛３０ｃを表面にして目盛板３０を補剛板２６の上面２６ｂ上に貼り付ける（ステップ７０４）。
【００４０】
ステップ７０４終了後の初期設置位置を図８、図９に示す。図８は、ステップ７０４終了後の角度補正台座１０の状態を示す平面図であり、上部台座１２および下部台座１４を回動させる前の初期の設置位置を示している。なお、図８に示すＸ1−Ｘ２線は、図６と同様に水平方向を示し、Ｙ１−Ｙ２線は、鉛直方向を示している。図９は、図８のＹ１−Ｙ２線における断面図である。
【００４１】
図８および図９に示すように、角度補正台座１０の上部台座１２と下部台座１４の初期設置位置は、上部台座１２の目盛３２の目盛「０」（符号３２ａ参照）と、下部台座１４の目印３６とが一致する位置である。また、角度補正台座１０と、目盛板３０との初期位置は、下部台座１４の目印３６と、目盛板３０の目盛３０ｃ「０」とが一致する位置である。そして、初期設置位置における上面１２ａと補剛板２６の上面２６ｂ（地盤表面に平行）のなす角度「σ」（図９参照）は、α＋βになっている。
【００４２】
次に、ステップ７０５〜７０７について、水平方向補正角度「１１°」（図５、符号５１０参照）、鉛直方向補正角度「１４°」（図５、符号５１１参照）とする具体的数値に基づいて、詳細に説明する。
【００４３】
作業者は、角度補正対応表５００を参照する（ステップ７０５）。すなわち、入力パラメータとしての水平方向補正角度「１１°」と鉛直方向補正角度「１４°」を角度補正対応表５００に割り当て、出力パラメータとしての下部台座用目盛値「８」と上部台座用目盛値「７」とを得る。
【００４４】
次に、作業者は、下部台座用目盛値「８」に基づいて、上部台座１２と一体に下部台座１４を補剛板２６に対して時計回り方向に回動する（ステップ７０６）。すなわち、作業者は、下部台座１４の目印３６を、目盛板３０の目盛３０ｃの「８」の位置に合わせる。図１０は、角度補正台座１０の回動状態を説明するための平面図であり、図１０（ａ）は、ステップ７０６において下部台座１４を回動させた後の状態を示す図である。
【００４５】
次に、作業者は、上部台座用目盛値「７」に基づいて、上部台座１２を下部台座１４に対して反時計方向に回動し（ステップ７０７）、角度補正を行う。すなわち、作業者は、上部台座１２の目盛３２の「７」（符号３２ａ参照）を、下部台座１４の目印３６の位置に合わせる。図１０（ｂ）は、ステップ７０７において上部台座１２を回動させた後の状態を示す図である。
【００４６】
最後に、作業者は、上部台座１２の２箇所に設けられた六角穴付止ネジ３４を締め、上部台座１２と、下部台座１４を固定する（ステップ７０８）。これにより、角度補正用台座１０を用いた補正が完了し、上部台座１２の上面１２ａと、アンカー孔２４の軸線Ｐとのなす角を垂直に補正することができる。
【００４７】
以上、詳細に説明した第１の実施形態によれば、角度補正対応表５００を参照し、上部台座１２および下部台座１４を目盛値にしたがって回動させるだけで角度計を使わず、経験の浅い作業者でも、容易且つ正確に、上部台座１２の上面１２ａと、アンカー孔２４の軸線Ｐがなす角が垂直になるように角度補正を行うことができる。また、作業者の経験や勘による調整を必要としないので、調整誤差が生じにくく、調整時間の短縮が可能である。
【００４８】
なお、本実施の形態においては、本発明の主旨を逸脱しない範囲内で種々の変形が可能であることはいうまでもない。例えば、本実施の形態においては、先に上部台座１２および下部台座１４を補剛板２６に対して一体に回動した後に、下部台座１４に対して上部台座１２を回動させたが、先に上部台座１２を下部台座１４に対して回動させ、次に、上部台座１２と下部台座１４とを一体に補剛板２６に対して回動させても良い。
【００４９】
また、本実施の形態においては、上部台座１２の上面１２ａと下面１２ｂのなす角度αと、下部台座１４の上面１４ａと下面１４ｂのなす角度βは、それぞれ１０°に設定されているが、適宜他の角度に設定しても良い。
【００５０】
また、本実施の形態においては、上部台座１２の目盛３２の目盛を９°間隔に０から２０まで設けたが、９°より小さい間隔で設けても良いし、大きい間隔で設けても良い。また、目盛３２は、上部台座１２の下部周面１２ｅに固定して設けたが、着脱可能な目盛を下部周面１２ｅに設置しても良い。また、目盛３２を紙や磁性材料で作成し、目盛板と同様に上部台座周面１２ｅに対して着脱可能な目盛としても良い。着脱可能な目盛とすることで、従来の角度補正台座に対しても、本実施の形態を適用することができる。
【００５１】
また、本実施の形態においては、角度補正対応表５００の水平方向補正角度を１°間隔に、上部台座用目盛値を１目盛間隔に配列したが、より小さな間隔で配列しても良いし、より大きな間隔で配列しても良い。
【００５２】
また、本実施の形態においては、上部台座１２および下部台座１４を円錐形状にて成形したが、円柱形状や多角形の角柱状にて成形しても良い。なお、多角形の角柱状に成形する場合には、その角部を目盛として用いることができる。
【００５３】
また、本実施の形態においては、角度補正対応表５００の横軸に水平方向補正角度、縦軸に上部台座用目盛値、角度補正対応表５００中のセル５２０の上段に鉛直方向補正角度およびセル５２０の下段に下部台座用目盛値を配列したが、横軸に水平方向補正角度、縦軸に鉛直方向補正角度、角度補正対応表５００中のセル５２０の上段に上部台座用目盛値およびセル５２０の下段に下部台座用目盛値を配列しても良い。
【００５４】
（第２の実施形態）
次に、本発明に係る第２の実施の形態について説明する。図１１は、本発明の第２の実施の形態にかかる角度補正台座１０の構成を示す斜視図である。なお、第１の実施の形態と同一の構成については、同じ符号を付して説明は省略する。
【００５５】
第１の実施の形態では、上部台座１２に目盛３２、下部台座１４に第１目印３６と第２目印３８を設け、補剛板２６上に目盛板３０を貼り付ける構成としたのに対して、第２の実施の形態では、上部台座１１２に第１目印１１６と第２目印１１８、下部台座１１４に目盛１２０を設け、補剛板２６上に目印１２２を設けた構成としたことが大きな特徴である。
【００５６】
図１１に示すように、第２の実施の形態にかかる角度補正台座１１０は、上部台座１１２と、下部台座１１４から構成される。上部台座１１２の下部周面１２ｅには、第１目印１１６と、第２目印１１８が設けられている。第１の実施の形態と同様に、第１目印１１６と、第２目印１１８は、１８０°間隔に２箇所設けられている。
【００５７】
下部台座１１４の周面１４ｅには、目盛１２０が設けられている。本実施の形態において、目盛１２０は、第１の実施の形態と同様に、「０」を基点に時計回り方向に「２０」までと、「０」を基点に反時計回り方向に「２０」まで設けられている。
【００５８】
補剛板２６には、目印１２２が設けられている。目印１２２は、現場にて補剛板２６設置後、作業者により、鉛直方向に沿って、任意の数だけ設けられる。たとえば、マジック等による書き込みや、ポンチ等による刻印によって設けられる。
【００５９】
次に、このように構成された角度補正台座１１０の補正方法を詳細に説明する。作業者は、まず、補剛板２６を受圧板２０の表面に設置し、続いて下部台座１１４を補剛板２６上に配置し、最後に上部台座１１２を下部台座１１４上に設置する。
【００６０】
次に、作業者は、角度補正対応表５００を参照し、下部台座用目盛値と上部台座用目盛値を確認する。第２の実施の形態において、角度補正台座１１０の設置方法、角度補正対応表５００の参照方法は、第１の実施の形態における角度補正台座１０と同じである。
【００６１】
角度補正台座１１０の初期設置位置は、上部台座１１２の目印１１６と、下部台座１１４の目盛１２０の目盛「０」とが一致する位置である。また、角度補正台座１１０と、補剛板２６との初期位置は、下部台座１１４の目盛１２０の目盛「０」と、補剛板２６の目印１２２とが一致する位置である。
【００６２】
次に、作業者は、下部台座用目盛値に基づいて、下部台座１１４を補剛板２６に対して時計方向に回動し、下部台座１１４の目盛１２０の所定の目盛値を、補剛板２６の目印１２２に合わせる。
【００６３】
次に、作業者は、上部台座用目盛値に基づいて、上部台座１１２を下部台座１１４に対して反時計方向に回動し、上部台座１１２の目印１１６を、下部台座１１４の目盛１２０の所定の目盛値に合わせる。
【００６４】
最後に、作業者は、上部台座１１２の２箇所に設けられた六角穴付止ネジ３４を締め、上部台座１１２と、下部台座１１４を固定する。これにより、角度補正台座１１０を用いた角度補正が完了し、上部台座１１２の上面１２ａと、アンカー孔２４の軸線Ｐがなす角を垂直に補正することができる。
【００６５】
以上、第１および第２の実施形態について説明したが、本発明の実施の形態は、これらの構成に限定されないことはいうまでもない。例えば、本発明の実施の形態においては、作業者が角度補正対応表５００を参照することで、角度補正台座の調整値を求めていた。しかしながら、これに限定されるものではなくＰＣ（パーソナルコンピュータ）にインストールされたプログラムを用いて、自動的に上部台座用目盛値と、下部台座用目盛値を出力できるようにしても良い。このプログラムは、上述した角度補正対応表のデータを保有しており、水平方向補正角度と鉛直方向補正角度が作業者により入力されると、上部台座用目盛値と、下部台座用目盛値を出力する機能を有している。
【００６６】
また、本実施の形態に係るアンカー工法は広い概念のアンカー工法を意味し、地盤表面と地盤中のアンカー体を緊張、固定させることで地盤を安定させる工法、例えば、ロックボルト工法も含まれる。ロックボルト工法とは、ＰＣ鋼より線の代わりにロックボルトを使用し、ロックボルトに取り付けられたナットを締め込むことにより、地盤表面の受圧板とアンカー体とを緊張、固定させることで、緊張定着力を地中に分散させ、地盤を安定させる工法である。
【図面の簡単な説明】
【００６７】
【図１】図１は、本発明の第１の実施の形態にかかる角度補正台座の使用状態を示す部分断面図である。
【図２】図２は、本発明の第１の実施の形態にかかる角度補正台座の上部台座を示す図であり、図２（ａ）は斜視図、図２（ｂ）は平面図、図２（ｃ）は、図２（ｂ）のＴ１−Ｔ３線における断面図である。
【図３】図３は、本発明の第１の実施の形態にかかる角度補正台座の下部台座を示す図であり、図３（ａ）は斜視図、図３（ｂ）は下部台座の第１目印−第２目印線における中央縦断面図である。
【図４】図４は、本発明の第１の実施の形態にかかる目盛板を示す平面図である。
【図５】図５は、本発明の第１の実施の形態にかかる角度補正台座を用いて角度補正行う際に使用される角度補正対応表である。
【図６】図６は、本発明の第１の実施の形態にかかる角度補正台座の補正していない状態を示す部分断面図である。
【図７】図７は、本実施の形態にかかる角度補正方法の手順を示すフローチャートである。
【図８】図８は、本発明の実施の形態にかかる角度補正台座の初期状態を示す組み合わせ断面図である。
【図９】図９は、図８のＹ１−Ｙ２線における断面図である。
【図１０】図１０は、本発明の実施の形態にかかる角度補正台座の回動状態を説明するための平面図である。
【図１１】図１１は、本発明の第２の実施の形態にかかる角度補正台座の構成を示す斜視図である。
【図１２】図１２は、従来の実施の形態にかかる角度補正台座の使用状態を示す部分断面図である。
【符号の説明】
【００６８】
１０    角度補正台座
１２    上部台座
１４    下部台座
１６    アンカーテンドン
２０    受圧板
２２    地盤
２４    アンカー孔
２６    補剛板
３０    目盛板
３２    目盛
３４    六角穴付止ネジ
３６    第１目印
３８    第２目印
４０    アンカー頭部
４６    支圧板
４８    ＰＣ鋼より線
【図１】
2005226417.tif 000003
【図２】
2005226417.tif 000004
【図３】
2005226417.tif 000005
【図４】
2005226417.tif 000006
【図５】
2005226417.tif 000007
【図６】
2005226417.tif 000008
【図７】
2005226417.tif 000009
【図８】
2005226417.tif 000010
【図９】
2005226417.tif 000011
【図１０】
2005226417.tif 000012
【図１１】
2005226417.tif 000013
【図１２】
2005226417.tif 000014